(57)【特許請求の範囲】
【請求項１】
一対の親骨と、
前記親骨間に配置された複数本の中骨と、
前記親骨及び中骨の各基端部に貫通状態で設けられた要軸と、
両側部においては、前記各親骨の少なくとも先端部分が固着され、中間部においては、非固着膜片と固着膜片とを交互に有し、前記固着膜片には前記各中骨の先端部が差し込まれた状態で固着されてなる蛇腹状の屈折地膜と
を備えた扇子であって、
前記屈折地膜は、表紙と、裏紙と、前記表紙及び裏紙間に位置し、厚さ方向に分断可能な芯紙とを備え、前記各中骨の先端部は前記芯紙が厚さ方向に分断されて形成される隙間に差し込まれた状態で固着されており、
前記屈折地膜のうち中央に位置する非固着膜片又は固着膜片の先端部分に、シート状のフックを設け、
当該フックを、フック本体と、フック本体から延設された脚部とから構成し、
前記脚部を、前記屈折地膜のうち中央に位置する非固着膜片又は固着膜片の先端部分における、前記芯紙を分断して形成される隙間に差し込んで固着して、前記フック本体を前記先端部分から突出可能としたことを特徴とする扇子。
【請求項２】
前記脚部は先細り状となっていることを特徴とする請求項１に記載の扇子。
【請求項３】
前記屈折地膜の折り畳み状態において、前記フック本体が前記非固着膜片及び固着膜片間で挟持されて収容されるよう前記フックを折り畳み可能としたことを特徴とする請求項１又は２に記載の扇子。
【請求項４】
前記フックのうち、前記フック本体及び脚部の境界部分又はその近傍には、折り畳み用の案内線が形成されていることを特徴とする請求項３に記載の扇子。
【請求項５】
前記フック本体は、前記各非固着膜片及び固着膜片よりも幅広であり、当該フック本体には、前記フック本体が前記非固着膜片及び固着膜片間で挟持されて収容されるよう幅狭とするための折り畳み用の案内線が形成されていることを特徴とする請求項３又は４に記載の扇子。
【請求項６】
前記フック本体には、当該フック本体の切除を示唆する識別情報が付されていることを特徴とする請求項１乃至５のいずれか１項に記載の扇子。
【発明の詳細な説明】
【技術分野】
【０００１】
本発明は、扇子に関するものである。
【背景技術】
【０００２】
扇子は、仰ぐことで涼風を形成するべく使用に供されるのは勿論のこと、昨今では外国人旅行客の土産用、家庭内での装飾用としても重宝されている。一般に、扇子は、一対の親骨と、当該親骨間に配置された複数本の中骨と、親骨及び中骨の各基端部に貫通状態で設けられた要軸と、蛇腹状の屈折地膜とを備えている。屈折地膜は、例えば和紙からなり、その両側部においては、前記各親骨の少なくとも先端部分が固着されている。また、屈折地膜の中間部においては、非固着膜片と固着膜片とを交互に有し、固着膜片には前記各中骨の先端部が固着されている。かかる扇子は、前記要軸を回動支点として全体的に展開したり、折り畳んだりすることができるようになっている。すなわち、扇子は、持ち運び時等の非使用時においては、折り畳まれ、仰いだり飾ったりする際の使用時においては、展開される（例えば、特許文献１等参照）。
【特許文献１】特開２００４−９７４０３号公報
【発明の開示】
【発明が解決しようとする課題】
【０００３】
ところで、扇子を、装飾品として壁や棚などに飾っておくことを考えた場合、別途の扇子立て用の治具等が必要になってくる。このような治具とセットで販売したりすることは、持ち運びに不便であり、また、コストの増大を招くこととなるというデメリットがある。一方、画鋲やピンを、扇子ともども壁に刺して飾ることも行われる。しかし、この場合、画鋲やピンを一旦扇子に刺してしまうと、その痕跡等が残ってしまったり、錆等が付着したりして、外観品質が低下してしまう。そのため、その後の使用等に支障を来すこととなる。
【０００４】
本発明は上記事情に鑑みてなされたものであり、その目的は、持ち運びに便利であるとともに、コストの増大を招くことなく、装飾に伴う外観品質の低下防止を図ることのできる扇子を提供することにある。
【課題を解決するための手段】
【０００５】
以下、上記課題等を解決するのに適した各構成を項分けして説明する。なお、必要に応じて対応する構成に特有の作用効果等を付記する。
【０００６】
手段１．一対の親骨と、
前記親骨間に配置された複数本の中骨と、
前記親骨及び中骨の各基端部に貫通状態で設けられた要軸と、
両側部においては、前記各親骨の少なくとも先端部分が固着され、中間部においては、非固着膜片と固着膜片とを交互に有し、前記固着膜片には前記各中骨の先端部が差し込まれた状態で固着されてなる蛇腹状の屈折地膜と
を備えた扇子であって、
前記屈折地膜は、表紙と、裏紙と、前記表紙及び裏紙間に位置し、厚さ方向に分断可能な芯紙とを備え、前記各中骨の先端部は前記芯紙が厚さ方向に分断されて形成される隙間に差し込まれた状態で固着されており、
前記屈折地膜のうち中央に位置する非固着膜片又は固着膜片の先端部分に、シート状のフックを設け、
当該フックを、フック本体と、フック本体から延設された脚部とから構成し、
前記脚部を、前記屈折地膜のうち中央に位置する非固着膜片又は固着膜片の先端部分における、前記芯紙を分断して形成される隙間に差し込んで固着して、前記フック本体を前記先端部分から突出可能としたことを特徴とする扇子。
【０００７】
上記手段１によれば、屈折地膜のうち中央に位置する非固着膜片又は固着膜片の先端部分に、シート状のフックが設けられる。フックは、フック本体と、フック本体から延設された脚部とから構成され、脚部が屈折地膜のうち中央に位置する非固着膜片又は固着膜片の先端部分に固着されてフック本体が前記先端部分から突出可能とされている。このため、扇子を壁等に飾ろうとした場合には、前記フックにピン等を引っかけておいて壁に刺したりすること等で、バランスのとれた状態で扇子を飾ることができる。従って、別途の扇子立て用の治具等が不要であり、このような治具とセットで販売したりする必要がない。そのため、コスト、ひいては販売価格の著しい増大を招くこともなく、また、従前どおりの態様で持ち運ぶことができ、持ち運びに便利である。
【０００８】
また、壁に飾る際、扇子自体にピン等を刺すわけではないので、扇子に孔が形成されてしまったり、錆等が付着してしまったりするおそれもない。そのため、孔や錆等によって外観品質が低下してしまうといった事態を防止できる。
【０００９】
尚、実際に人前で仰いだりする等、使用に供する場合、前記突出部分（フック本体）を切除することとしてもよい。これにより、使用態様を重視する者にしてみれば、フックの存在を気にすることなく、扇子の使用が可能となる。すなわち、手段１の扇子は、壁に掛ける等、装飾品としての機能を重んじる者のみならず、頻繁に使用する者にとっても何ら問題なく使用に供することができる。結果として、種々のニーズに応えることができるといえる。
【００１０】
さらに、フックの脚部が、屈折地膜のうち中央に位置する非固着膜片又は固着膜片の先端部分における、芯紙を分断して形成される隙間に差し込まれて固着される。すなわち、手段１は、屈折地膜が表紙と、裏紙と、厚さ方向に分断可能な芯紙とを備えているという、扇子特有の構成に着目することで成されるものである。そして、このように、フックの脚部を、芯紙を分断して形成される隙間に差し込んで固着するという構成を採用することで、脚部が表裏いずれからも直接視認されない。これにより、単にフックを表面又は裏面に貼り付けるだけの構成に比べて、著しい外観品質の向上を図ることができる。
【００１１】
また、上述のように、前記突出部分（フック本体）を切除することとした場合、脚部が外部から視認されないため、フックが当初からない扇子と同様の外観態様とすることができる。
【００１２】
手段２．前記脚部は先細り状となっていることを特徴とする手段１に記載の扇子。
【００１３】
上述した手段１のように、フックの脚部を、芯紙を分断して形成される隙間に差し込んで固着する場合において、差込後の再付着（固着）を考慮すると、分断される幅というのは極力狭い方が望ましい。一方で、分断幅が狭いと、脚部の差し込み作業が困難となることが懸念される。この点、手段２によれば、脚部が先細り状となっているため、分断幅を比較的狭くしたとしても、比較的容易に差し込むことができる。そのため、固着後の外観悪化及び差込時の作業性の悪化のいずれについても防止することができる。
【００１４】
手段３．前記屈折地膜の折り畳み状態において、前記フック本体が前記非固着膜片及び固着膜片間で挟持されて収容されるよう前記フックを折り畳み可能としたことを特徴とする手段１又は２に記載の扇子。
【００１５】
扇子を持ち運んだりする場合には、屈折地膜を折り畳むのであるが、これに際し、手段３のように、前記フックを折り畳んでフック本体が非固着膜片及び固着膜片間で挟持されて収容されるようにしてもよい。これにより、屈折地膜が折り畳まれた状態にあってフック本体が突出するといった外観態様をなくすことができる。そのため、屈折地膜の折り畳み状態における外観品質の向上を図ることができる。
【００１６】
手段４．前記フックのうち、前記フック本体及び脚部の境界部分又はその近傍には、折り畳み用の案内線が形成されていることを特徴とする手段３に記載の扇子。
【００１７】
手段４にいう案内線とは、単に線が印刷されている場合であってもよいし、予め折れ癖が付けられた折れ線であってもよい。後者の場合には、折り畳むべき正規の位置に折れ線を付しておくことで、誤って折り畳まれてしまうことによる外観品質の低下を防止できるというメリットがある。また、切除時においても、当該案内線に沿って切除することで、良好な外観品質を保持することができる。
【００１８】
手段５．前記フック本体は、前記各非固着膜片及び固着膜片よりも幅広であり、当該フック本体には、前記フック本体が前記非固着膜片及び固着膜片間で挟持されて収容されるよう幅狭とするための折り畳み用の案内線が形成されていることを特徴とする手段３又は４に記載の扇子。
【００１９】
中骨の本数が比較的多いような場合には、非固着膜片及び固着膜片の幅も比較的狭くなる傾向にある。このような場合において、単にフックを設けただけでは、フック本体が、各非固着膜片及び固着膜片よりも幅広となってしまうケースも想定される。この点、手段５のように、フック本体に、幅狭とするための折り畳み用の案内線が形成されていることで、フック本体が非固着膜片及び固着膜片間で挟持されて収容可能となる。その結果、中骨の本数が比較的多い場合であっても、フックを設けることができ、上述した各作用効果が奏される。また、中骨の本数が異なる扇子同士であっても、共通のフックを用いることも可能となる。
【００２０】
手段６．前記フック本体には、当該フック本体の切除を示唆する識別情報が付されていることを特徴とする手段１乃至５のいずれかに記載の扇子。
【００２１】
手段６によれば、フック本体には、当該フック本体の切除を示唆する識別情報が付されているため、これを視認した者のうち、フックを必要としない者は、特段の躊躇を招くことなくフック本体を切除できる。尚、かかる識別情報は、表側に付されていることが望ましい。
【発明を実施するための最良の形態】
【００２２】
以下、本発明の一実施形態を図面を参照しつつ説明する。図１に示すように、本実施形態の扇子１１は、比較的厚肉の一対の親骨１２，１３と、当該親骨１２，１３間に配置され、比較的薄肉の複数本の中骨１４と、親骨１２，１３及び中骨１４の各基端部に貫通状態で設けられた要軸１５と、蛇腹状の屈折地膜１６とを備えている。屈折地膜１６は、表紙１７、裏紙１８、及び、芯紙１９からなる（図４参照；いずれも、例えば和紙からなる）。すなわち、芯紙１９に対し、表紙１７及び裏紙１８が、糊付けされた構成となっている。表紙１７、裏紙１８には、適宜の模様等（図示略）が付され、また、芯紙１９は、厚さ方向に（複数層に）分断可能な紙により構成されている。屈折地膜１６の両側部においては、前記各親骨１２，１３の少なくとも先端部分が固着されている。また、屈折地膜１６は、その中間部において、非固着膜片２１と固着膜片２２とを交互に有している。非固着膜片２１には中骨１４が設けられておらず、固着膜片２２には、前記各中骨１４の先端部が固着されている。より詳しくは、固着膜片２２の基端側から芯紙１９を分断するようにして小さい隙間を形成し、該隙間に中骨１４の先端部分を差し込んで上で、糊付けを施すことで、中骨１４は固着膜片２２内に固着されている。
【００２３】
このように構成されてなる扇子１１は、前記要軸１５を回動支点として全体的に展開したり、折り畳んだりすることができるようになっている。すなわち、扇子１１は、持ち運び時等の非使用時においては、折り畳まれ棒状とされ、仰いだり、飾ったりする際の使用時においては、図１に示すように、展開される。
【００２４】
さて、本実施形態では、屈折地膜１６のうち、中央に位置する固着膜片２２（中央に位置していれば非固着膜片２１でもよい）の先端部分に、紙製でシート状のフック３１が設けられる。図２に示すように、フック３１は、フック本体３２と、当該フック本体３２から延設された脚部３３とから構成されている。本実施形態において、フック本体３２は、円環状をなし、その中心部分に係止用の透孔３４が形成されている。また、脚部３３は先細り状となっている。本実施形態においては、扇子１１の製造に際し、図３，４に示すように、フック３１の脚部３３が屈折地膜１６のうち中央に位置する固着膜片２２（又は非固着膜片２１）の先端側から差し込まれる。この際、前記中骨１４と同様、芯紙１９を分断するようにして隙間が形成され、該隙間に、脚部３３が先端部分から差し込まれる。所定の長さだけ差し込まれた時点で、脚部３３及び芯紙１９が糊付けにより固着される。そして、脚部３３が固着された状態においてフック本体３２は、前記屈折地膜１６の中央の先端部分から突出可能となっている。
【００２５】
尚、フック３１のうち、フック本体３２及び脚部３３の境界部分には、折り畳み用の案内線３５が形成されている。本実施形態における案内線３５は、予め所定の折れ癖が付けられることで構成されている。また、該案内線３５は、切除に際しての切除線としても機能する。さらに、フック本体３２には、該フックが「壁掛け用のフック」であることを示す文字、及び、当該フック本体３２の切除を示唆する識別情報（例えば「不要な時は切り落として下さい」等のメッセージ）が印刷により付されている（いずれも図示略）。
【００２６】
次に、上記のように構成されてなる本実施形態の扇子１１が奏する作用効果について説明する。
【００２７】
本実施形態では、扇子１１を壁等に飾ろうとした場合には、フック本体３２の透孔３４にピン等を引っかけておいて壁に刺す等することで、或いは、壁から突出するピン等にフック本体３２の透孔３４を引っかけることで、バランスのとれた状態で扇子１１を飾ることができる。従って、別途の扇子掛け用の治具等が不要であり、このような治具とセットで販売したりする必要がない。そのため、コストの著しい増大を招くこともなく、また、従前どおりの態様で持ち運ぶことができ、持ち運びに便利である。
【００２８】
また、扇子１１を壁に飾る際、扇子１１自体にピン等を刺すわけではないので、扇子１１に孔が形成されてしまったり、錆等が付着してしまったりするおそれもない。そのため、孔や錆等によって外観品質が低下してしまうといった事態を防止できる。
【００２９】
さらに、実際に人前で仰いだりする等、使用に供する場合、フック本体３２を切除することで、使用態様を重視する者にしてみれば、フック３１の存在を気にすることなく、扇子１１の使用が可能となる。特に、本実施形態では、案内線３５の存在により比較的容易にフック本体３２を切除可能となっている。すなわち、本実施形態の扇子１１は、壁に掛ける等、装飾品としての機能を重んじる者のみならず、頻繁に使用する者にとっても何ら問題なく使用に供することができる。結果として、種々のニーズに応えることができるといえる。
【００３０】
しかも、本実施形態では、フック３１の脚部３３が、屈折地膜１６のうち中央に位置する固着膜片２２（又は非固着膜片２１）の先端部分における、芯紙１９を分断して形成される隙間に差し込まれて固着される。すなわち、本実施形態では、屈折地膜１６が表紙１７と、裏紙１８と、厚さ方向に分断可能な芯紙１９とを備えているという、扇子特有の構成に着目することで成されるものである。そして、このように脚部３３を差し込んで固着するという構成を採用することで、脚部３３が表裏いずれからも直接視認されない。これにより、単にフックを表面又は裏面に貼り付けるだけの構成に比べて、著しい外観品質の向上を図ることができる。また、上述のように、フック本体３２を切除することとした場合、脚部３３が外部から視認されないため、フックが当初からない扇子と同様の外観態様とすることができる。
【００３１】
また、上記のように、フック３１の脚部３３を、芯紙１９を分断して形成される隙間に差し込んで固着する場合において、差込後の再付着（固着）を考慮すると、分断される幅というのは極力狭い方が望ましい。一方で、分断幅が狭いと、脚部３３の差し込み作業が困難となることが懸念される。この点、本実施形態によれば、脚部３３が先細り状となっているため、分断幅を比較的狭くしたとしても、比較的容易に差し込むことができる。そのため、固着後の外観悪化及び差込時の作業性の悪化のいずれについても防止することができる。
【００３２】
また、扇子１１を持ち運んだりする場合には、屈折地膜１６を折り畳むのであるが、これに際し、本実施形態では、図５（ａ）に示すように、フック３１が折り畳まれてフック本体３２が非固着膜片２１及び固着膜片２２間で挟持されて収容される。これにより、屈折地膜１６が折り畳まれた状態にあってフック本体３２が突出するといった外観態様をなくすことができ、外観品質の向上を図ることができる。
【００３３】
さらに、本実施形態では案内線３５を付すこととしているため、誤った箇所で折り畳まれてしまうことによる外観品質の低下を防止できる。また、図５（ｂ）に示すように、フック本体３２の切除時においても、当該案内線３５に沿って切除することで、良好な外観品質を保持することができる。
【００３４】
しかも、フック本体３２には、所定の識別情報が付されているため、これを視認することで、フックの存在をより確実に認識でき、また、フック３１を必要としない者にとっては、特段の躊躇を招くことなくフック本体３２を切除できる。
【００３５】
なお、上述した実施形態の記載内容に限定されず、例えば次のように実施してもよい。
【００３６】
（ａ）上記実施形態では、脚部３３の幅もさることながら、フック本体３２の幅も、非固着膜片２１及び固着膜片２２の先端部分の幅よりも狭い構成であった。これに対し、中骨１４の本数が比較的多いような場合には、非固着膜片２１及び固着膜片２２の幅も比較的狭くなる傾向にある。このような場合において、単にフックを設けただけでは、図６，７に示すように、フック本体３２が、各非固着膜片２１及び固着膜片２２よりも幅広となってしまうケースも想定される。この点、同図に示すように、フック本体３２に、幅狭とするための折り畳み用の案内線３６を形成することとしてもよい。当該案内線３６及び前記案内線３５に沿って折り畳むことで、フック本体３２が非固着膜片２１及び固着膜片２２間で挟持されて収容可能となる。その結果、中骨１４の本数が比較的多い場合であっても、フック３１を設けることができ、上述した各作用効果がより確実に奏される。また、中骨１４の本数が異なる扇子同士であっても、共通のフック３１を用いることも可能となる。
【００３７】
（ｂ）上記実施形態におけるフック本体３２の形状は円環状であったが、必ずしも円環状に限定されるものではなく、例えば、四角環状であってもよいし、鉤状、逆Ｊ字状のように非環状であってもよい。
【００３８】
（ｃ）上記実施形態では、フック３１は紙製としているが、素材は特に限定されない。尚、フック３１を構成する素材として、透明（特に、無色透明）素材を用いることとしてもよい。このように透明素材を用いることで、壁掛け時にフック３１の存在がわかりにくくなり、さらなる外観品質の向上を図ることができる。
【００３９】
（ｄ）中骨１４の本数は上記実施形態のものに何ら限定されるものではない。また、上述したことではあるが、フック３１の設けられる部位は、中央であればよく、非固着膜片２１にフック３１が固着されていてもよい。
【図面の簡単な説明】
【００４０】
【図１】一実施形態の扇子を示す正面図である。
【図２】フックの構成を示す正面図である。
【図３】フックを差し込み固着する際の過程を示す斜視図である。
【図４】固着されたフック等を示す部分断面図である。
【図５】（ａ）はフックを折り畳む際の一例を、（ｂ）はフック本体を切除する際の一例をそれぞれ示す部分拡大斜視図である。
【図６】別の実施形態におけるフックを示す正面図である。
【図７】別の実施形態におけるフックを折り畳む際の一例を示す部分拡大斜視図である。
【符号の説明】
【００４１】
１１…扇子、１２，１３…親骨、１４…中骨、１５…要軸、１６…屈折地膜、１７…表紙、１８…裏紙、１９…芯紙、２１…非固着膜片、２２…固着膜片、３１…フック、３２…フック本体、３３…脚部、３４…透孔、３５…案内線、３６…案内線。
【図１】
0004422120.tif 000002
【図２】
0004422120.tif 000003
【図３】
0004422120.tif 000004
【図４】
0004422120.tif 000005
【図５】
0004422120.tif 000006
【図６】
0004422120.tif 000007
【図７】
0004422120.tif 000008